(57)【要約】      （修正有）【課題】媒体の提示に関連するコメントを提示するためのシステム及び方法を提供する。【解決手段】方法は、表示する媒体を出力するステップと、ソーシャルネットワークに関連する少なくとも１人のユーザを識別することを含む、媒体に関連するコメントを求める要求に基いて、媒体に関連するコメントを検出するステップとを含む。この方法は、コメントに関連するタイムコードを検出するステップと、このタイムコードに基づいて、媒体の表示とともにコメントのグラフィック表現を出力するステップとをさらに含むことができる。【選択図】図１
2013118649.tif 000002
【特許請求の範囲】
【請求項１】
媒体の提示に関連するコメントを提示する方法であって、
表示する媒体を出力するステップと、
ソーシャルネットワークに関連する少なくとも１人のユーザを識別することを含む、前記媒体に関連するコメントを求める要求に基づいて、前記媒体に関連するコメントを検出するステップと、
前記コメントに関連するタイムコードを検出するステップと、
前記タイムコードに基づいて、前記媒体の表示とともに前記コメントのグラフィック表現を出力するステップと、
を含むことを特徴とする方法。
【請求項２】
前記媒体を出力するステップが、ビデオデータ、オーディオデータ、映画データ及びオーディオ／ビジュアルデータのうちの１又はそれ以上を出力することを含む、
ことを特徴とする請求項１に記載の方法。
【請求項３】
前記媒体を出力するステップが、装置により媒体を表示すること及び前記媒体を装置に出力することの少なくとも一方を含む、
ことを特徴とする請求項１に記載の方法。
【請求項４】
前記コメントが、前記タイムコードに基づいて、サーバにより前記媒体にリンクされる、
ことを特徴とする請求項１に記載の方法。
【請求項５】
前記コメントを検出するステップが、ソーシャルネットワークの１又はそれ以上の選択されたユーザに基づいて、１又はそれ以上のコメントを決定することを含む、
ことを特徴とする請求項１に記載の方法。
【請求項６】
前記タイムコードが、前記媒体の１又はそれ以上のフレームを識別する、
ことを特徴とする請求項１に記載の方法。
【請求項７】
前記コメントが、前記媒体とともに出力するためのテキスト、画像データ及びオーディオデータのうちの少なくとも１つを含む、
ことを特徴とする請求項１に記載の方法。
【請求項８】
前記コメントが、媒体を提案すること、製品を提案すること、及びマーケティング情報を提示することのうちの１又はそれ以上のためのマーケティングデータを含む、
ことを特徴とする請求項１に記載の方法。
【請求項９】
前記コメントのグラフィック表現を出力するステップが、前記媒体の表示中に行われる、
ことを特徴とする請求項１に記載の方法。
【請求項１０】
前記コメントのグラフィック表現を出力するステップが、前記媒体の表示内の、前記コメントの作成中に決められた位置に関連する前記コメントの表示を含む、
ことを特徴とする請求項１に記載の方法。
【請求項１１】
ソーシャルネットワークのユーザプロフィールに基づいて、前記媒体にリンクされたコメントを求める要求をサーバへ送信するステップをさらに含む、
ことを特徴とする請求項１に記載の方法。
【請求項１２】
ソーシャルネットワーキングサービスの複数のユーザの、媒体に関するコメントを記憶するように構成されたサーバと、
媒体を出力するように構成された装置と、
を備え、前記装置が、前記サーバと通信して、
表示する媒体を出力し、
ソーシャルネットワークに関連する少なくとも１人のユーザを識別することを含む、前記媒体に関連するコメントを求める前記サーバへの要求に基づいて、前記媒体に関連するコメントを検出し、
前記コメントに関連するタイムコードを検出し、
前記タイムコードに基づいて、前記媒体の表示とともに前記コメントのグラフィック表現を出力する、
ように構成される、
ことを特徴とするシステム。
【請求項１３】
前記媒体の出力が、ビデオデータ、オーディオデータ、映画データ及びオーディオ／ビジュアルデータのうちの１又はそれ以上を出力することを含む、
ことを特徴とする請求項１２に記載のシステム。
【請求項１４】
前記媒体の出力が、装置により媒体を表示すること及び前記媒体を装置に出力することの少なくとも一方を含む、
ことを特徴とする請求項１２に記載の方法。
【請求項１５】
前記コメントが、前記タイムコードに基づいて、サーバにより前記媒体にリンクされる、
ことを特徴とする請求項１２に記載のシステム。
【請求項１６】
前記コメントの検出が、ソーシャルネットワークの１又はそれ以上の選択されたユーザに基づいて、１又はそれ以上のコメントを決定することを含む、
ことを特徴とする請求項１２に記載のシステム。
【請求項１７】
前記タイムコードが、前記媒体の１又はそれ以上のフレームを識別する、
ことを特徴とする請求項１２に記載の方法。
【請求項１８】
前記コメントが、前記媒体とともに出力するためのテキスト、画像データ及びオーディオデータのうちの少なくとも１つを含む、
ことを特徴とする請求項１２に記載のシステム。
【請求項１９】
前記コメントが、媒体を提案すること、製品を提案すること、及びマーケティング情報を提示することのうちの１又はそれ以上のためのマーケティングデータを含む、
ことを特徴とする請求項１２に記載のシステム。
【請求項２０】
前記コメントのグラフィック表現の出力が、前記媒体の表示中に行われる、
ことを特徴とする請求項１２に記載の方法。
【請求項２１】
前記コメントのグラフィック表現の出力が、前記媒体の表示内の、前記コメントの作成中に決められた位置に関連する前記コメントの表示を含む、
ことを特徴とする請求項１２に記載のシステム。
【請求項２２】
ソーシャルネットワークのユーザプロフィールに基づいて、前記媒体にリンクされたコメントを求める要求をサーバへ送信することをさらに含む、
ことを特徴とする請求項１２に記載の方法。
【請求項２３】
アプリケーションにより、媒体の提示に関連するコメントを提示する方法であって、
表示する媒体の出力を検出するステップと、
ソーシャルネットワークに関連する少なくとも１人のユーザを識別することを含む、前記媒体に関連するコメントを求めるサーバへの要求を生成するステップと、
前記要求に基づいてコメントを検出するステップと、
前記コメントに関連するタイムコードを検出するステップと、
前記タイムコードに基づいて、前記コメントに関連するグラフィック表現を前記媒体の提示とともに出力するステップと、
を含むことを特徴とする方法。
【請求項２４】
前記媒体を出力するステップが、ビデオデータ、オーディオデータ、映画データ及びオーディオ／ビジュアルデータのうちの１又はそれ以上を出力することを含む、
ことを特徴とする請求項２３に記載の方法。
【請求項２５】
前記媒体を出力するステップが、装置により媒体を表示すること及び前記媒体を装置に出力することの少なくとも一方を含む、
ことを特徴とする請求項２３に記載の方法。
【請求項２６】
前記コメントが、前記タイムコードに基づいて、サーバにより前記媒体にリンクされる、
ことを特徴とする請求項２３に記載の方法。
【請求項２７】
前記コメントを検出するステップが、ソーシャルネットワークの１又はそれ以上の選択されたユーザに基づいて、１又はそれ以上のコメントを決定することを含む、
ことを特徴とする請求項２３に記載の方法。
【請求項２８】
前記タイムコードが、前記媒体の１又はそれ以上のフレームを識別する、
ことを特徴とする請求項２３に記載の方法。
【請求項２９】
前記コメントが、前記媒体とともに出力するためのテキスト、画像データ及びオーディオデータのうちの少なくとも１つを含む、
ことを特徴とする請求項２３に記載の方法。
【請求項３０】
前記コメントが、媒体を提案すること、製品を提案すること、及びマーケティング情報を提示することのうちの１又はそれ以上のためのマーケティングデータを含む、
ことを特徴とする請求項２３に記載の方法。
【請求項３１】
前記コメントのグラフィック表現を出力するステップが、前記媒体の表示内の、前記コメントの作成中に決められた位置に関連する前記コメントの表示を含む、
ことを特徴とする請求項２３に記載の方法。
【請求項３２】
前記コメントのグラフィック表現を出力するステップが、前記コメントの作成中に識別された前記コメントの前記位置に基づく、
ことを特徴とする請求項２３に記載の方法。
【発明の詳細な説明】
【技術分野】
【０００１】
本開示は、一般に電子装置及び方法に関し、より詳細には、ユーザが生成した媒体に関するコメントを記録して提示するためのシステム及び方法に関する。
【背景技術】
【０００２】
媒体を提示するための従来のシステムでは、一般にソーシャルネットワーキングを媒体の閲覧にリンクさせることができない。媒体の提示に関連するユーザコメントを共有することが求められている。１つの現在の方法では、ビデオデータにグラフィックデータを埋め込むことができる。この方法の欠点は、ビデオに関連するデータが、作者又は１つの特定のエンティティのデータに制限される点である。さらなる欠点は、グラフィックデータ又は選択したソースからの反応を選択できない点である。従って、上述した欠点の１又はそれ以上を解消するシステム及び方法が求められている。
【発明の概要】
【課題を解決するための手段】
【０００３】
本明細書では、媒体の提示に関連するコメントを提示するためのシステム及び方法を開示し、これについて特許請求する。１つの実施形態では、方法が、表示する媒体を出力するステップと、ソーシャルネットワークに関連する少なくとも１人のユーザを識別することを含む、媒体に関連するコメントを求める要求に基づいて、媒体に関連するコメントを検出するステップとを含む。この方法は、コメントに関連するタイムコードを検出するステップと、このタイムコードに基づいて、媒体の提示とともにコメントのグラフィック表現を出力するステップとをさらに含む。当業者には、以下の実施形態の詳細な説明から、その他の態様、特徴及び技術が明らかになるであろう。
【０００４】
全体を通じて同じ参照符号が同じものを識別する図面とともに以下の詳細な説明を読めば、本開示の特徴、目的及び利点がより明らかになるであろう。
【図面の簡単な説明】
【０００５】
【図１】１又はそれ以上の実施形態による、コメントの提示のグラフィック表現を示す図である。
【図２】１又はそれ以上の実施形態による、媒体の提示に関連するコメントを提示する処理を示す図である。
【図３】１つの実施形態による装置の簡略ブロック図である。
【図４】１又はそれ以上の実施形態による簡略システム図である。
【図５Ａ】１又はそれ以上の実施形態による、コメントデータの提示のグラフィック表現を示す図である。
【図５Ｂ】１又はそれ以上の実施形態による、コメントデータの提示のグラフィック表現を示す図である。
【図６】１又はそれ以上の実施形態による、コメントを作成する処理を示す図である。
【図７】別の実施形態による、表示ウィンドウのグラフィック表現を示す図である。
【図８】表示できるユーザインターフェイスのグラフィック表現を示す図である。
【図９Ａ】１又はそれ以上の実施形態による、コメントデータの提示のグラフィック表現を示す図である。
【図９Ｂ】１又はそれ以上の実施形態による、コメントデータの提示のグラフィック表現を示す図である。
【発明を実施するための形態】
【０００６】
概要及び用語
本開示の１つの態様は、コメントを記録して媒体とともに提示することに関する。装置又はアプリケーションのユーザにより生成される、媒体に関連するコメントの作成、選択及び提示を行うためのシステム及び方法を提供する。１つの実施形態によれば、コメントを媒体のタイムコードにリンクさせることにより、媒体とともにコメントを提示することができる。
【０００７】
コメントは、テキスト、画像データ、サウンド及びグラフィックデータのうちの１又はそれ以上を含むグラフィック表現に関連することができる。コメントは、媒体を見た時のユーザの反応又は感想を提供するために使用ことができる。コメントは、ユーザの音の記録又は選択されたオーディオデータなどのオーディオデータを含むことができる。別の実施形態では、コメントが、媒体に関連するマーケティング情報又は製品情報を提供することができる。
【０００８】
本開示の１つの実施形態は、ビデオデータの表示などの媒体を提示するように構成することができるディスプレイ装置などの電子装置に関する。この装置は、媒体に関連するコメントを要求及び／又は検出し、このコメントを媒体とともに提示するようにさらに構成することができる。別の実施形態によれば、この装置を、コメントを受け取って、このコメントを媒体の提示とともに提示するように構成されたメディアプレーヤとすることができる。本明細書で使用する媒体とは、一般にビデオデータ、オーディオデータ、グラフィックデータ、画像データ及びオーディオ／ビジュアルデータのうちの１又はそれ以上に関することができるものである。
【０００９】
別の実施形態では、１又はそれ以上の媒体のタイトルに関連するコメントを記憶して提示するためのシステムを提供する。このシステムでは、装置が媒体を提示し、１又はそれ以上の社会的関係に基づいて、この媒体にリンクされたコメントを検索することができる。
【００１０】
本開示の別の態様は、ソーシャルネットワークにリンクして媒体を閲覧することに関する。１つの実施形態では、ソーシャルネットワークとの関連に基づいて、媒体に関するユーザコメントを検索することができる。１又はそれ以上のユーザのコメントをサーバに記憶し、ソーシャルネットワーク内のユーザネットワークにおける選択に基づいてこれを検索することができる。ソーシャルネットワーク又はソーシャルネットワーキングアプリケーションは、一般にブログ、簡易ブログ、ネットワークユーザプロフィールのプラットフォーム、及びソーシャルネットワークのアプリケーションのうちの１又はそれ以上に関連することができる。
【００１１】
本明細書で使用する「１つの（英文不定冠詞）」という用語は、１又は１よりも多くを意味するものとする。「複数の」という用語は、２又は２よりも多くを意味するものとする。「別の」という用語は、第２の又はそれ以上の、と定義される。「含む（ｉｎｃｌｕｄｉｎｇ）」及び／又は「有する（ｈａｖｉｎｇ）」という用語には（備える（ｃｏｍｐｒｉｓｉｎｇ）と同様に）制限がない。本明細書で使用する「又は」という用語は包括的なものとして解釈すべきであり、すなわちいずれか１つ又はあらゆる組み合わせを意味する。従って、「Ａ、Ｂ又はＣ」は、「Ａ、Ｂ、Ｃ、ＡとＢ、ＡとＣ、ＢとＣ、ＡとＢとＣ、のいずれか」を意味する。この定義に対する例外は、要素、機能、ステップ又は行為の組み合わせが何らかの点で本質的に互いに相容れない場合にのみ生じる。
【００１２】
本明細書を通じて、「１つの実施形態」、「いくつかの実施形態」、「ある実施形態」、又は同様の用語への言及は、実施形態に関連して説明する特定の特徴、構造又は特性が、少なくとも１つの実施形態に含まれることを意味する。従って、本明細書を通じて至るところに出現するこのような語句は、必ずしも全てが同じ実施形態について言及するものではない。さらに、上記の特定の特徴、構造又は特性を、１又はそれ以上の実施形態においてあらゆる好適な態様で制限なく組み合わせることができる。
【００１３】
コンピュータプログラミングの当業者の手法に従って、以下、コンピュータシステム又は同様の電子システムにより実行される動作を参照しながら１又はそれ以上の実施形態について説明する。このような動作を、コンピュータ実行型と呼ぶこともある。なお、符号で表される動作としては、中央処理装置などのプロセッサによるデータビットを表す電気信号の操作、及びシステムメモリなどの記憶場所におけるデータビットの保持、並びにその他の信号の処理が挙げられる。データビットを保持する記憶場所とは、データビットに対応する特定の電気的、磁気的、光学的、又は有機的特性を有する物理的場所のことである。
【００１４】
ソフトウェアの形で実現される場合、基本的に本発明の要素は、必要なタスクを行うためのコードセグメントである。これらのコードセグメントを、情報を記憶できるあらゆる媒体を含むことができるプロセッサ可読媒体に記憶することができる。プロセッサ可読媒体の例としては、電子回路、半導体メモリ装置、読み出し専用メモリ（ＲＯＭ）、フラッシュメモリ又はその他の不揮発性メモリ、フロッピーディスケット、ＣＤ−ＲＯＭ、光ディスク、ハードディスクなどが挙げられる。
【００１５】
例示的な実施形態
ここで図面を参照すると、図１に、１又はそれ以上の実施形態による、コメントを提示するグラフィック表現を示している。１つの実施形態によれば、ビデオコンテンツなどの媒体の提示とともにコメントを表示することができる。図１には、ビデオコンテンツ１０５を含む表示ウィンドウ１００のグラフィック表現を示している。表示ウィンドウ１００は、テレビ、コンピュータモニタ、メディアプレーヤなどのディスプレイ装置によって媒体又はビデオコンテンツ１０５を提示するために使用することができる。ビデオコンテンツ１０５は、例示的なビデオコンテンツの表示に関する。図１のビデオコンテンツ１０５は、媒体の特定のフレーム及び／又はタイムコードに関連することができる。図１をビデオコンテンツに関連して説明しているが、本明細書で説明する実施形態は、他の形式のオーディオ／ビジュアルコンテンツにも適用できると理解されたい。
【００１６】
図１には、コメントのグラフィック表現を１１０として示している。１つの実施形態によれば、媒体とともにコメント１１０などのコメントを提示するシステム及び方法が提供される。コメント１１０は、ビデオコンテンツ１０５などの媒体の１又はそれ以上のフレームに関して表示することができる。例えば、コメント１１０を、表示ウィンドウ１００の一部に重なるように表示することができる。１つの実施形態によれば、タイムコードに基づいてコメント１１０をビデオコンテンツ１０５にリンクさせ、ビデオコンテンツの特定のフレームの組の表示とともにコメントが提示されるようにすることができる。タイムコードに基づいてコメント１１０を提示することにより、コメントを特定のフレームとともに表示することができる。さらなる利点として、媒体の提示とともに１又はそれ以上のソース又は作者からのコメントを提示する能力を挙げることができる。本明細書で使用する媒体とは、ビデオ、映画及びデジタルコンテンツなどのオーディオ／ビジュアルデータの提示に関するものである。しかしながら、媒体は、オーディオ、ビデオ、画像データ及びグラフィック表示の１又はそれ以上に関することもできると理解されたい。表示ウィンドウ１００に対するコメント１１０が提示される位置に基づく別の利点をもたらすこともできる。コメント１１０の表示は、コメントを作成する時にユーザが特定する位置に基づくことができる。このようにして、ユーザが特定した位置にコメント１１０を表示し、閲覧者にビデオデータ１０５の特定の要素を通知できるようにすることができる。
【００１７】
別の実施形態によれば、システム及び方法が、ソーシャルネットワークを媒体とリンクさせることに関することができる。具体的には、ソーシャルネットワークのユーザが作成したコメントを媒体にリンクさせるためのアプリケーションを提供することができる。このようにして、ビデオコンテンツ１０５とともに関連性の高いメッセージを提示することができる。また、ソーシャルネットワーク内の１又はそれ以上の関連性に基づいて媒体にコメントをリンクさせることもできる。以下でより詳細に説明するように、ソーシャルネットワーキングアプリケーションにより、媒体に関するコメントをユーザごとに記憶することができる。このようにして、ソーシャルネットワーク内の関係に基づいて他のユーザにコメントデータを提供することができる。コメントには、１又はそれ以上の実施形態によるソーシャルネットワーキングアプリケーションの機能又はデータの一方又は両方を盛り込むことができる。
【００１８】
コメント１１０を、名前１１５、テキスト１２０及び画像１２５を含むものとして示している。名前１１５は、コメントを作成したユーザの名前に関するものであってもよく、また（プロフィール又は表示名などの）ソーシャルネットワークに関連するものであってもよい。テキスト１２０は、ユーザが入力するテキストに関する。画像１２５は、コメントを作成したユーザのプロフィール画像に関するものであってよい。名前１１５及び画像１２５は、コメント１１０の受け取りに関連してソーシャルネットワーキングサーバから受け取ることができる。いくつかの実施形態では、名前１１５及び画像１２５の表示を任意とすることができる。以下でより詳細に説明するように、コメントを作成し、選択して媒体とともに提示するためのシステム及び方法を提供する。
【００１９】
ここで図２を参照すると、１又はそれ以上の実施形態による、媒体の提示に関連するコメントを提示する処理を示している。装置は、処理２００を使用して、媒体の提示中にコメントを提示することができる。いくつかの実施形態では、媒体を提示するためのアプリケーション及びソーシャルネットワーク用のアプリケーションの一方又は両方などのアプリケーションによって処理２００を実行することができる。
【００２０】
処理２００は、ブロック２０５において、表示する媒体を出力することにより開始することができる。ブロック２０５における媒体の出力は、一般に（ビデオデータ１０５などの）ビデオデータ、映画／フィルムデータ、画像データ、グラフィックデータ及びオーディオ／ビジュアルデータのうちの１又はそれ以上の出力を含むことができる。ブロック２０５における媒体の出力は、ディスプレイ装置又はテレビなどの装置によって行うことができる。別の実施形態では、ディスプレイ装置に媒体を出力するように構成された（ビデオディスクプレーヤ、セットトップボックス、ゲーム機、メディアプレーヤなどの）メディアプレーヤによって媒体の出力を行うことができる。従って、処理２００を装置に関連して説明しているが、処理２００及び処理２００の機能を、１又はそれ以上の装置が実行するアプリケーションによって実行することもできると理解されたい。
【００２１】
ブロック２１０において、媒体に関する１又はそれ以上のコメントを検出することができる。１つの実施形態では、ディスプレイ装置又はメディアプレーヤなどの装置のユーザがコメントを作成し、後で提示できるように装置に記憶することができる。このようにして、ブロック２１０において、装置が記憶したコメントに基づいて媒体に関するコメントを検出するように装置を構成することができる。
【００２２】
別の実施形態によれば、媒体の提示中に、ソーシャルネットワーキングアプリケーションなどのアプリケーション、又はアプリケーションウィジェットによってコメントを作成して記憶することができる。このようにして、ソーシャルネットワーキングアプリケーションのサーバにコメントを記憶し、ソーシャルネットワーク内で確立される１又はそれ以上の関係に少なくとも基づいてこれを検索することができる。一例として、ユーザのソーシャルネットワークの１又はそれ以上のメンバーをユーザ設定が指定していることに基づいて、ユーザにコメントを表示することができる。従って、ブロック２１０において、媒体に関するコメントを検出するステップは、サーバ、サーバとのネットワーク通信、及びソーシャルネットワーク内のユーザとの１又はそれ以上の関係から受け取られる１又はそれ以上のコメントに基づくことができる。
【００２３】
ブロック２１０における媒体に関するコメントを検出するステップは、装置が媒体を提示又はロードすることにより開始することができる。例えば、装置は、再生前及び／又は再生中に、媒体に関連するコメントがないかチェックすることができる。１つの実施形態によれば、媒体に関するコメントを検出するステップは、サーバにコメントデータを要求するステップを含むことができる。コメントの要求は、提示する特定の媒体又はビデオファイルを特定することができる。ブロック２１０において検出されたコメントは、媒体の提示中に、提示のために待ち行列に入れ又は記憶することができる。
【００２４】
ブロック２１５において、処理２００は、検出したコメントに関連するタイムコードを検出することができる。１つの実施形態によれば、各コメントは、媒体の１又はそれ以上のフレームを指定するタイムコードを含むことができる。このようにして、１又はそれ以上のフレームに関連するコメントを提示することができる。１つの実施形態によれば、タイムコードが、媒体の１又はそれ以上のフレームに関連する時間に関する。タイムコードは、媒体を提示するためのタイミングシステムに基づくことができ、時間、分、秒及びフレームのうちの１又はそれ以上を含むことができる。
【００２５】
ブロック２２０において、コメントに関するグラフィック表現を出力することができる。１つの実施形態では、コメントをグラフィック要素として表示することができる。コメントは、表示ウィンドウ内の媒体へのオーバーレイとして提示することができ、このオーバーレイは、テキスト及び画像データの一方又は両方を含む。いくつかの実施形態では、サウンドアイコンのグラフィック表現を含むようにコメントを表示することができる。例えば、選択可能アイコンとしてコメントを表示し、これを選択することにより、録音した音の再生を開始することができる。コメントのグラフィック表現は、限定するわけではないが、ソーシャルネットワーク上のプロフィールに関連するユーザ名及び画像を含む、コメントを作成したユーザの１又はそれ以上の属性を含むことができる。
【００２６】
いくつかの実施形態では、媒体を出力する装置及び／又はコメントを提示するためのアプリケーションを、コメントの表示及び提示の書式設定を行うように構成することができる。例えば、コメントのグラフィック提示は、検出したコメントデータを、特定のフォント、色、サイズ、位置又はその他の処理を含むように書式設定するステップを含むことができる。コメントデータの個人化は、コメントを提示するように構成された装置のユーザ設定に基づくことができる。他の実施形態では、コメントが、コメントの作成者が選択した属性に基づく提示用データを含むことができる。例えば、閲覧者にビデオデータの特定の要素を知らせるとともに、表示画面の一部の確認された要素について意見交換できるようにコメントを作成した場合、この（コメント１１０などの）コメントを、ユーザが特定した位置に基づいて表示することができる。
【００２７】
ここで図３を参照すると、１又はそれ以上の実施形態による装置の簡略ブロック図を示している。装置３００は、一般にディスプレイ装置、ゲーム機、パーソナル通信装置、メディアプレーヤ、撮像装置又はモバイル電子装置のうちの１又はそれ以上に関連することができる。いくつかの実施形態では、装置３００を、表示する媒体を出力するように構成することができる。これとは別に又はこれと組み合わせて、装置３００を、表示する媒体及びコメントデータを別の装置に出力するように構成することもできる。さらに別の実施形態では、装置３００を、コメントの作成、検出、及び提示を行うためのアプリケーションを提供するように構成することができる。別の実施形態では、装置３００を、サーバにアクセスしてコメント及びソーシャルネットワーキングデータをネットワークベースで記憶及び検索できるようにするよう構成することができる。
【００２８】
装置３００は、一般にディスプレイ装置、セットトップボックス、通信装置、メディアプレーヤ、ゲーム機又は電子装置のうちの１又はそれ以上とすることができる。装置３００は、プロセッサ３０５、メモリ３１０、入力／出力（Ｉ／Ｏ）インターフェイス３１５及び通信インターフェイス３２０を含む。装置３００は、任意にディスプレイ３２５及びメディアプレーヤ３３０を含むことができる。装置３００の要素は、通信バスによってプロセッサ３０５と通信し、これと相互動作するように構成することができる。
【００２９】
プロセッサ３０５は、メモリ３１０に記憶された１又はそれ以上のコンピュータ実行可能命令に基づいて装置３００の動作を制御するように構成することができる。１つの実施形態では、プロセッサ３０５を、媒体の提示に関連する１又はそれ以上のコメントを提示するように構成することができる。メモリ３１０は、ＲＡＭメモリ及びＲＯＭメモリの一方に関連することができ、１又はそれ以上のファイル、及び装置３００を動作させるためのコンピュータ実行可能命令を記憶するように構成することができる。メモリ３１０を単一のメモリユニットとして示しているが、このメモリ３１０は、内部装置メモリ及び取り外し可能メモリの一方又は両方に関連することができる。メモリ３１０は、オーディオファイル及びビデオファイル、並びにコメントデータのうちの１又はそれ以上を記憶することができる。
【００３０】
入出力（Ｉ／Ｏ）インターフェイス３１５は、１又はそれ以上の出力装置にデータ及び／又はコマンドを出力するように構成することができる。１つの実施形態によれば、Ｉ／Ｏインターフェイス３１５を、１又はそれ以上のユーザコマンドを受け取るように構成することができる。Ｉ／Ｏインターフェイス３１５は、表示するコンテンツの選択の制御及び装置３００の動作の制御を含む、装置３００の動作を制御するための１又はそれ以上のボタンを含むことができる。Ｉ／Ｏインターフェイス３１５の入力ボタンは、数字キーパッド、音量調節、メニュー制御、ポインティングデバイス、トラックボール、モード選択ボタン、及び（再生、停止、一時停止、早送り、巻き戻し、スローモーションなどの）再生機能などの、ユーザ入力用の１又はそれ以上のボタンを含むことができる。Ｉ／Ｏインターフェイス３１５のボタンは、ハードボタン及びソフトボタンを含むことができ、ソフトボタンの機能は、装置３００上で実行される１又はそれ以上のアプリケーションに基づくことができる。Ｉ／Ｏインターフェイス３１５は、リモコン装置から制御コマンドを受け取るように構成することができる。Ｉ／Ｏインターフェイス３１５は、コメントのオーディオデータを録音するためのマイク又は録音装置を含むことができる。
【００３１】
通信インターフェイス３２０は、装置３００が有線又は無線通信によって通信するための１又はそれ以上の要素を含むことができる。通信インターフェイス３２０は、取り外し可能メモリ用のポートを含む、データを受け取るための１又はそれ以上のポートを含むことができる。通信インターフェイス３２０は、以下に限定されるわけではないが、ＬＡＮ、ＷＡＮ、Ｗｉ−Ｆｉなどを含むネットワークベースの通信を可能にするように構成することができる。
【００３２】
いくつかの実施形態では、装置３００がディスプレイ装置に関連し、ビデオデータ、グラフィックデータ、ガイドデータ、コメントなどの媒体を表示するためのディスプレイ３２５を含み、プロセッサ３０５により実行される１又はそれ以上のアプリケーションを表示することができる。いくつかの実施形態では、装置３００がメディアプレーヤに関連し、ビデオデータ、デジタルビデオディスクなどの媒体を読み込んで出力するように構成されたメディアプレーヤ３３０を含むことができる。
【００３３】
ここで図４を参照すると、１又はそれ以上の実施形態による簡略システム図を示している。１つの実施形態によれば、システム４００は、媒体にコメントをリンクできるようにすることができる。図４に示すように、システム４００は、通信ネットワーク４１０を介してディスプレイ装置４１５及びメディアプレーヤ４２０の一方又は両方と通信するように構成されたサーバ４０５を含む。
【００３４】
サーバ４０５は、コメントデータを受け取り、通信ネットワーク４１０を介してディスプレイ装置４１５及びメディアプレーヤ４２０へ送信するように構成することができる。１つの実施形態によれば、サーバ４０５を、ディスプレイ装置４１５及びメディアプレーヤ４２０の一方又は両方により実行されるウィジェットなどのアプリケーションを、ソーシャルネットワークに関連するデータ記憶装置４２５とリンクさせるように構成することができる。このようにして、ソーシャルネットワークの１又はそれ以上のユーザからのコメントデータを、ディスプレイ装置４１５及びメディアプレーヤ４２０の一方又は両方に提供することができる。システム４００は、ソーシャルネットワークのデータ及びユーザを媒体にリンクすることに加え、マーケティングデータ又は広告データを媒体に提供できるようにすることもできる。例えば、サーバ４０５を、媒体とともに表示するための関連する指定された広告を提供するように構成することができる。また、サーバ４０５を、提示されたコメント内の１又はそれ以上のユーザ選択に基づいて、ディスプレイ装置４１５及びメディアプレーヤ４２０にデータを対話形式で提示できるように構成することもできる。
【００３５】
別の実施形態によれば、ディスプレイ装置４１５及びメディアプレーヤ４２０を、互いに通信してコメントデータを提供するように構成することができる。例えば、１つの実施形態では、メディアプレーヤ４２０が、（ビデオデータなどの）媒体及びコメントデータをディスプレイ装置４１５に出力することができる。別の例示的な実施形態では、ディスプレイ装置４１５を、メディアプレーヤ４２０から受け取った媒体データに関するコメントを提示するように構成することができる。１つの実施形態によれば、コメントデータを提示するために装置間で媒体を共有する必要がない。タイムコードに基づいて提供されるコメントデータの１つの利点として、媒体のファイルデータを修正せずにコメントデータを提供できる点を挙げることができる。
【００３６】
通信ネットワーク４１０は、有線及び無線通信の一方又は両方、及び以下に限定されるわけではないが、ＬＡＮ、ＷＡＮ、Ｗｉ−Ｆｉを含むネットワークベースの通信を可能にすることができる。図４の装置４１５及び４２０は、有線及び／又は無線要素を含むことができる通信ネットワーク４１０を介してサーバ４０５に接続するように構成することができる。上記では、単一のサーバを有するものとしてシステム４００を説明したが、システムが複数のサーバを含むことを理解できるであろう。データ記憶装置４２５は、コメントデータを記憶するためのデータベースに関連することができる。
【００３７】
ここで図５Ａ〜図５Ｂを参照すると、コメントデータを提示するグラフィック表現を示している。まず図５Ａを参照すると、１又はそれ以上の実施形態によるコメントの提示を示している。図５Ａには、ビデオコンテンツ５０５を含む表示ウィンドウ５００のグラフィック表現を示している。表示ウィンドウ５００は、（テレビ、コンピュータモニタ、メディアプレーヤなどの）ディスプレイ装置により、媒体又はビデオコンテンツ５０５を提示するために提示することができる。図５Ａのビデオコンテンツ５０５は、特定のフレーム及び／又はタイムコードに関連することができる。
【００３８】
コメント５１０は、名前５１５、画像５２０及びサウンドクリップ用のグラフィック要素５２５を含むものとして示している。サウンドクリップ５２５は、ビデオデータ５０５に応答してユーザが録音したサウンドデータ関連することができる。コメント５１０の提示は、再生するサウンドクリップ５２５のグラフィック表現をユーザが選択できるようにすることを含むことができる。１つの実施形態によれば、コメントを、最大１分間にわたるオーディオデータを記憶するように構成することができる。しかしながら、他の時間も可能であると理解されたい。コメント５１０を提示することで、ユーザは、他のユーザによる論評又は反動的応答を受け取ることができるようになる。従って、論評によってより豊かな体験及びユーザの反応を実現し、これらをソーシャルネットワークによって共有することができる。また、コメント５１０などのコメントを、媒体の役者又は製作者による論評を提供するように構成することもできる。ビデオデータ５０５などの媒体に関連するオーディオデータとともに又はこれとは別に、サウンドクリップ５２５のためのサウンドデータを提示することができる。図１のテキストを含むコメントと同様に、コメント５１０も、ソーシャルネットワーク内でコメントを作成したユーザのプロフィール名及びプロフィール画像に基づく名前５１５及び画像５２０を含むように提示することができる。コメント５１０の表示位置は、コメントを作成する際にユーザが特定する位置に基づくことができる。このようにして、媒体の表示ウィンドウの特定の位置にコメント５１０を表示することができる。この位置は、ビデオデータ５０５の特定の要素を識別できるようにユーザが選択及び／又は特定することができる。この位置をコメントの作成中に決定して記憶し、コメントの表示を、１又はそれ以上のコメントの記憶した位置データに基づいて行えるようにすることができる。
【００３９】
ここで図５Ｂを参照すると、別の実施形態による表示ウィンドウのグラフィック表現を示している。表示ウィンドウ５５０を、テキストバー５５５を含むものとして示している。テキストバー５５５は、コメントを作成するためのコマンドに基づいて表示することができる。ユーザは、テキストバー５５５の表示に基づいて、例示的なテキスト５６０によって示すようなコメントのためのテキストを入力することができる。１つの実施形態によれば、テキストバー５５５が、コメントに関する音の録音を開始するためにユーザが選択できるグラフィックアイコン５６５の表示を含むことができる。１つの実施形態によれば、コメントを作成するためのコマンドが検出されると、媒体の表示を制御する装置又はアプリケーションが、媒体の提示を一時停止することができる。その後、タイムコードに基づいて、コメントに関して入力されるあらゆるデータを、媒体の特定の時点に一時停止として関連付けることができる。タイムコードは、コメントを作成するためのユーザ入力に関連する特定のフレームを指定し、タイムコードに含めるべき特定の時間量又はそれに続くフレームを識別することができる。その後、タイムコードの継続時間設定に基づいて、コメントを提示することができる。コメントデータを受け取ると、ユーザは、ビデオデータ５０５の再生を開始できるアイコン５７０を選択し、ビデオデータ５０５の少なくともフレームのタイムコードとともにコメントデータを保存することができる。これに応じて、再生を制御する装置又はアプリケーションは、テキストバー５５５の表示を終了することができる。
【００４０】
ここで図６を参照すると、１又はそれ以上の実施形態による、コメントを作成する処理を示している。処理６００は、ディスプレイ装置及びメディアプレーヤの一方又は両方により提示される媒体にコメントを関連付けるために使用することができる。例えば、（ディスプレイ装置４１５、メディアプレーヤ４２０などの）装置を、アプリケーションを実行するようにプログラムすることができる。このアプリケーションは、装置を動作させるためのプログラムとともに、又はこのプログラムへの追加として相互動作することができる。装置は、ユーザからのコメントを作成し、記録し、要求し及び／又は表示するように構成することができる。１つの実施形態では、タイムコードに基づいて、コメントを媒体にリンクさせることができる。別の実施形態によれば、ソーシャルネットワーク内の１又はそれ以上の関係に基づいて、コメントをリンク及び／又は提示することができる。図６の処理は、装置が実行するものとして説明しているが、同様の機能をアプリケーションに組み入れ、このアプリケーションにより実行することもできると理解されたい。
【００４１】
処理６００は、ブロック６０５において、例えばディスプレイ装置上に表示する媒体を出力することなどの、媒体を出力することによって開始することができる。装置は、媒体を提示し、ユーザがコマンドを入力してコメントを入力できるようにするよう構成することができる。１つの実施形態では、コマンドが、ハードボタン又はソフトボタンの起動などの、リモコン装置の動作に基づくことができる。ブロック６１０において、装置は、ユーザ入力を検出することができる。ブロック６１５において、装置は、媒体のタイムコード又はフレームに関連するマークを記憶することができる。いくつかの実施形態では、装置が、媒体の再生を一時停止することができる。他の実施形態では、装置が再生を継続し、後でユーザがコメント用のテキスト及び／又はその他の属性を入力できるようにすることができる。
【００４２】
いくつかの実施形態では、ブロック６１０におけるユーザ入力、及び／又はブロック６１５における媒体のタイムコードのマーキングにより、ユーザがコメント用のテキスト及び／又はサウンドデータを入力できるようにするためのテキストバー又はテキストボックスの表示を開始することができる。ブロック６２０において、装置は、検出されたユーザからのデータに基づいて、このタイムコードに関連する媒体に関するコメントを作成することができる。ブロック６２５において、コメントに関連するデータをサーバへ送信することができる。例えば、媒体、コメントデータ、タイムコード、及びソーシャルネットワークのユーザを識別する情報の識別符号を含むデータを送信することができる。従って、サーバを、コメントに関連するデータを後で検索すべく記憶するように構成することができる。ブロック６２５におけるデータの送信は、コメントデータをソーシャルネットワークに投稿することを含むことができる。
【００４３】
ここで図７を参照すると、別の実施形態による表示ウィンドウのグラフィック表現を示している。表示ウィンドウ７００を、ビデオデータ７０５及びリスト７１０などの媒体を含むものとして示している。リスト７１０は、ユーザが媒体の提示中に表示するコメントを指定できるようにするために提示することができる。
【００４４】
１つの実施形態によれば、リスト７１０を、媒体の表示前又は表示中に表示することができる。ユーザは、リスト７１０を使用して、１又はそれ以上のネットワーク関連からのコメントを選択することができる。別の実施形態によれば、リスト７１０の選択領域７１５に示すように、最も高く評価されたコメントなどのコメントの評価、及び最も面白い投稿を選択するためのユーモアなどに基づいてコメントを受け取ることができる。また、監督の記録及び／又は映画の真相などのその他の制作記録のための選択タブを選択することもできる。リスト７１０のセクション７２０では、１又はそれ以上の友人によるコメントを選択することができる。セクション７２５では、１又はそれ以上の有名人からのコメントを選択することができる。有名人のコメントは、ソーシャルネットワーク又は媒体のコンテンツにより提供されるコメントに基づくことができる。有名人のコメントは、一般にタイトル内の役者又は有名人から得ることができると理解できるであろう。リスト７１０は、さらなるコメントソースを見て選択できるようにするスクロールリストであってもよい。
【００４５】
別の実施形態によれば、（フレームなどの）ビデオデータの選択部分を見直してコメントを入力するためのユーザインターフェイスを提示することができる。ここで図８を参照すると、表示できるユーザインターフェイスのグラフィック表現を示している。表示ウィンドウ８００は、装置により、ビデオデータ８１０などの媒体を表示する媒体ウィンドウ８０５を含むように表示することができる。表示ウィンドウ８００内には、ユーザが選択した１又はそれ以上の媒体のタイムコードに基づいて、選択された時間フレーム８１５1~nを表示することができる。時間フレーム８１５1~nは、シーン、対話及び／又は音などの媒体の特定の部分を識別するために表示される１つの又は一連の画像に関連することができる。ユーザがコメントを入力するために選択できるテキストバー８２０1~nのグラフィック表現を含む時間フレーム８１５1~nを表示することができる。また、タイムコード８２５1~nなどの特定のフレームのタイムコードを含む時間フレーム８１５1~nの各々を表示することもできる。
【００４６】
ここで図９Ａ〜９Ｂを参照すると、広告又はマーケティング情報を含むコメントデータを提示するグラフィック表現を示している。まず図９Ａを参照すると、１又はそれ以上の実施形態によるコメントの表示を示している。表示ウィンドウ９００は、ビデオコンテンツ９０５及びコメント９１０を含む。コメント９１０は、ビデオコンテンツ９０５に関するユーザのフィードバックを受け取ることを目的とする１又はそれ以上の選択可能ボックスを含む。コメント９１０は、ビデオコンテンツ９０５のタイムコードに基づいて提示することができる。
【００４７】
次に、図９Ｂを参照すると、別の実施形態による表示ウィンドウのグラフィック表現を示している。表示ウィンドウ９５０は、ビデオコンテンツ９０５及びコメント９５５を含む。コメント９５５は、提案される映画タイトル９６０を含む。ユーザがグラフィックアイコン９６５を選択すると、特定された映画タイトルをダウンロード及び／又は購入するためのネットワークアクセス可能な場所にユーザ装置を導くことができる。
【００４８】
例示的な実施形態を特に参照しながら本開示を説明したが、当業者であれば、添付の特許請求の範囲に含まれる実施形態の範囲から逸脱することなく、形態及び詳細に様々な変更を行うことができると理解するであろう。
【図１】
2013118649.tif 000003
【図２】
2013118649.tif 000004
【図３】
2013118649.tif 000005
【図４】
2013118649.tif 000006
【図５Ａ】
2013118649.tif 000007
【図５Ｂ】
2013118649.tif 000008
【図６】
2013118649.tif 000009
【図７】
2013118649.tif 000010
【図８】
2013118649.tif 000011
【図９Ａ】
2013118649.tif 000012
【図９Ｂ】
2013118649.tif 000013
【外国語明細書】
2013118649.tif 000014
2013118649.tif 000015
2013118649.tif 000016
2013118649.tif 000017
2013118649.tif 000018
2013118649.tif 000019
2013118649.tif 000020
2013118649.tif 000021
2013118649.tif 000022
2013118649.tif 000023
2013118649.tif 000024
2013118649.tif 000025
2013118649.tif 000026
2013118649.tif 000027
2013118649.tif 000028
2013118649.tif 000029
2013118649.tif 000030
2013118649.tif 000031
2013118649.tif 000032
2013118649.tif 000033
2013118649.tif 000034
2013118649.tif 000035
2013118649.tif 000036
2013118649.tif 000037
2013118649.tif 000038
2013118649.tif 000039
2013118649.tif 000040